(57)【要約】【課題】移動局のハンドオーバ頻度を低減する。【解決手段】移動局１２は、ハンドオーバを行う第１のタイミング（ハンドオーバタイミング）とその第１のタイミングより早い第２のタイミング（予備サーチタイミング）とのそれぞれで、周辺の基地局を検索する基地局検索部３０と、基地局検索部３０により第１のタイミングで検索されかつ第２のタイミングで検索されない基地局のいずれかをハンドオーバ先として選択するハンドオーバ先選択部３２と、を含む。【選択図】図３
2010124021.tif 000002
【特許請求の範囲】
【請求項１】
ハンドオーバを行う第１のタイミングと該第１のタイミングより早い第２のタイミングとのそれぞれで、周辺の基地局装置を検索する基地局検索手段と、
前記基地局検索手段により前記第１のタイミングで検索されかつ前記第２のタイミングで検索されない基地局装置のいずれかをハンドオーバ先として選択するハンドオーバ先選択手段と、
を含むことを特徴とする移動局装置。
【請求項２】
請求項１に記載の移動局装置において、
前記基地局検索手段は、前記周辺の基地局装置から送信される報知信号に基づいて、前記周辺の基地局装置を検索し、
前記ハンドオーバ先選択手段は、前記第１のタイミングで検索されかつ前記第２のタイミングで検索されない基地局装置のうち、当該移動局装置における受信レベルが所定値以上である報知信号を送信した基地局装置のいずれかをハンドオーバ先として選択する、
ことを特徴とする移動局装置。
【請求項３】
請求項２に記載の移動局装置において、
前記ハンドオーバ先選択手段は、当該移動局装置における受信レベルが所定値以上である報知信号のうち該受信レベルが最も低い報知信号を送信した基地局装置をハンドオーバ先として選択する、
ことを特徴とする移動局装置。
【請求項４】
請求項１から３のいずれかに記載の移動局装置において、
ハンドオーバの実行間隔を取得する手段をさらに含み、
前記基地局検索手段は、前記ハンドオーバの実行間隔に基づいて、前記第２のタイミングを決定する、
ことを特徴とする移動局装置。
【請求項５】
請求項４に記載の移動局装置において、
前記ハンドオーバ先選択手段は、
前記ハンドオーバの実行間隔が所定時間未満である場合に、前記第１のタイミングで検索されかつ前記第２のタイミングで検索されない基地局装置のいずれかをハンドオーバ先として選択し、
前記ハンドオーバの実行間隔が前記所定時間以上である場合に、当該移動局装置における受信レベルが最大である報知信号を送信した基地局装置をハンドオーバ先として選択する、
ことを特徴とする移動局装置。
【請求項６】
請求項１から３のいずれかに記載の移動局装置において、
周辺基地局装置の配置間隔に対する当該移動局装置の相対移動速度を推定する相対移動速度推定手段をさらに含み、
前記基地局検索手段は、前記相対移動速度推定手段により推定される相対移動速度に基づいて、前記第２のタイミングを決定する、
ことを特徴とする移動局装置。
【請求項７】
請求項６に記載の移動局装置において、
前記ハンドオーバ先選択手段は、
前記相対移動速度推定手段により推定される相対移動速度が所定速度を超える場合に、前記第１のタイミングで検索されかつ前記第２のタイミングで検索されない基地局装置のいずれかをハンドオーバ先として選択し、
前記相対移動速度推定手段により推定される相対移動速度が前記所定速度以下である場合に、当該移動局装置における受信レベルが最大である報知信号を送信した基地局装置をハンドオーバ先として選択する、
ことを特徴とする移動局装置。
【請求項８】
移動局装置のハンドオーバ方法であって、
ハンドオーバを行う第１のタイミングと該第１のタイミングより早い第２のタイミングとのそれぞれで、周辺の基地局装置を検索するステップと、
前記第１のタイミングで検索されかつ前記第２のタイミングで検索されない基地局装置のいずれかをハンドオーバ先として選択するステップと、
を含むことを特徴とするハンドオーバ方法。
【発明の詳細な説明】
【技術分野】
【０００１】
本発明は、移動局装置およびハンドオーバ方法に関し、特に、ハンドオーバ先を選択する技術に関する。
【背景技術】
【０００２】
移動通信システムでは、通信品質の劣化を防ぐため、ハンドオーバ頻度の低減が望まれている。そのためには、移動局がその進行方向に対して前方にある基地局をハンドオーバ先として選択することが好ましい。移動局が基地局にハンドオーバしてからそのカバーエリアを出るまでの時間が長くなるからである。
【０００３】
この点、特許文献１には、周辺基地局を検索したとき各基地局の電波強度を記憶しておき、前回検索したときよりも電波強度が増加している基地局が進行方向に対して前方にあると推定する移動局が開示されている。この移動局は、前方にあると推定された基地局のうち最も電波強度が高い基地局をハンドオーバ先として選択する。
【特許文献１】特開２００２−２７５１８号公報
【発明の開示】
【発明が解決しようとする課題】
【０００４】
しかしながら、特許文献１に記載の移動局では、その進行方向に対して前方にある基地局をハンドオーバ先として選択することができない場合がある。
【０００５】
たとえば、特許文献１に記載の移動局では、たとえその進行方向に対して前方にある基地局から送信される報知信号を受信したとしても、その基地局から送信される報知信号を前回の検索でも検出していなければ、その基地局をハンドオーバ先として選択しない。このため、特許文献１に記載の移動局では、ハンドオーバ頻度を十分に低減させることができない。
【０００６】
本発明は、上記従来の課題に鑑みてなされたものであり、ハンドオーバ頻度を低減することができる移動局装置およびハンドオーバ方法を提供することを目的とする。
【課題を解決するための手段】
【０００７】
上記課題を解決するために、本発明に係る移動局装置は、ハンドオーバを行う第１のタイミングと該第１のタイミングより早い第２のタイミングとのそれぞれで、周辺の基地局装置を検索する基地局検索手段と、前記基地局検索手段により前記第１のタイミングで検索されかつ前記第２のタイミングで検索されない基地局装置のいずれかをハンドオーバ先として選択するハンドオーバ先選択手段と、を含むことを特徴とする。
【０００８】
本発明によれば、移動局装置の進行方向に対して前方にある基地局装置がハンドオーバ先として選択されやすくなるため、移動局装置のハンドオーバ頻度を低減することができる。
【０００９】
また、本発明の一態様では、前記基地局検索手段は、前記周辺の基地局装置から送信される報知信号に基づいて、前記周辺の基地局装置を検索し、前記ハンドオーバ先選択手段は、前記第１のタイミングで検索されかつ前記第２のタイミングで検索されない基地局装置のうち、当該移動局装置における受信レベルが所定値以上である報知信号を送信した基地局装置のいずれかをハンドオーバ先として選択する。
【００１０】
この態様によれば、受信レベルが所定値未満である報知信号を送信した基地局装置がハンドオーバ先の候補から除外される。
【００１１】
また、本発明の一態様では、前記ハンドオーバ先選択手段は、当該移動局装置における受信レベルが所定値以上である報知信号のうち該受信レベルが最も低い報知信号を送信した基地局装置をハンドオーバ先として選択する。
【００１２】
この態様によれば、移動局装置の進行方向に対して前方にある基地局装置のうち、移動局装置から最も離れた基地局装置がハンドオーバ先として選択されるため、移動局装置のハンドオーバ頻度をさらに低減することができる。
【００１３】
また、本発明の一態様では、ハンドオーバの実行間隔を取得する手段をさらに含み、前記基地局検索手段は、前記ハンドオーバの実行間隔に基づいて、前記第２のタイミングを決定する。
【００１４】
ハンドオーバの実行間隔は、周辺基地局装置の配置間隔に対する移動局装置の相対移動速度に応じて変化する。すなわち、移動局装置の相対移動速度が高いほどハンドオーバの実行間隔は短くなり、逆に移動局装置の相対移動速度が低いほどハンドオーバの実行間隔は長くなる。本態様によれば、ハンドオーバの実行間隔に基づいて、ハンドオーバ時（第１のタイミング）より前に基地局検索を行う第２のタイミングが決定されるため、移動局装置の進行方向に対して前方にある基地局装置がハンドオーバ先としてさらに選択されやすくなる。また、移動局装置の消費電力を低減することもできる。
【００１５】
なお、この態様では、前記ハンドオーバ先選択手段は、前記ハンドオーバの実行間隔が所定時間未満である場合に、前記第１のタイミングで検索されかつ前記第２のタイミングで検索されない基地局装置のいずれかをハンドオーバ先として選択し、前記ハンドオーバの実行間隔が前記所定時間以上である場合に、当該移動局装置における受信レベルが最大である報知信号を送信した基地局装置をハンドオーバ先として選択してもよい。
【００１６】
こうすれば、周辺基地局装置の配置間隔に対する移動局装置の相対移動速度が高い場合には、移動局装置の進行方向に対して前方にある基地局装置がハンドオーバ先として選択され、移動局装置の相対移動速度が低い場合には、移動局装置に近い基地局装置がハンドオーバ先として選択されるようになる。
【００１７】
また、本発明の一態様では、周辺基地局装置の配置間隔に対する当該移動局装置の相対移動速度を推定する相対移動速度推定手段をさらに含み、前記基地局検索手段は、前記相対移動速度推定手段により推定される相対移動速度に基づいて、前記第２のタイミングを決定する。
【００１８】
この態様によれば、周辺基地局装置の配置間隔に対する移動局装置の相対移動速度に基づいて、ハンドオーバ時（第１のタイミング）より前に基地局検索を行う第２のタイミングが決定される。このため、移動局装置の進行方向に対して前方にある基地局装置がハンドオーバ先としてさらに選択されやすくなる。また、移動局装置の消費電力を低減することもできる。
【００１９】
なお、この態様では、前記ハンドオーバ先選択手段は、前記相対移動速度推定手段により推定される相対移動速度が所定速度を超える場合に、前記第１のタイミングで検索されかつ前記第２のタイミングで検索されない基地局装置のいずれかをハンドオーバ先として選択し、前記相対移動速度推定手段により推定される相対移動速度が前記所定速度以下である場合に、当該移動局装置における受信レベルが最大である報知信号を送信した基地局装置をハンドオーバ先として選択してもよい。
【００２０】
こうすれば、周辺基地局装置の配置間隔に対する移動局装置の相対移動速度が高い場合には、移動局装置の進行方向に対して前方にある基地局装置がハンドオーバ先として選択され、移動局装置の相対移動速度が低い場合には、移動局装置に近い基地局装置がハンドオーバ先として選択されるようになる。
【００２１】
また、本発明に係るハンドオーバ方法は、移動局装置のハンドオーバ方法であって、ハンドオーバを行う第１のタイミングと該第１のタイミングより早い第２のタイミングとのそれぞれで、周辺の基地局装置を検索するステップと、前記第１のタイミングで検索されかつ前記第２のタイミングで検索されない基地局装置のいずれかをハンドオーバ先として選択するステップと、を含むことを特徴とする。
【発明を実施するための最良の形態】
【００２２】
以下、本発明の一実施形態を図面に基づいて詳細に説明する。
【００２３】
図１は、本発明の一実施形態に係る移動通信システム１０の構成図である。同図に示すように、移動通信システム１０は、移動局１２と、複数の基地局１４（ここでは、移動局１２の周辺に位置する７つの基地局１４−１〜１４−７のみを示す）と、を含んで構成される。ここでは、移動局１２と基地局１４−１とが無線接続している様子が示されているが、移動局１２は、基地局１４−１のカバーエリアを出る際、基地局１４−１以外の基地局１４にハンドオーバを行う。
【００２４】
本実施形態に係る移動局１２には、ハンドオーバ先の選択方法として２つのモードが用意されている。１つは「通常モード」であり、もう１つは「移動モード」である。「通常モード」とは、移動局１２に近い基地局１４をハンドオーバ先として選択する標準的なモードである。一方、「移動モード」とは、移動局１２の進行方向に対して前方にある基地局１４をハンドオーバ先として選択するモードである。これら２つのモードは、手動または自動で切り替えられる。
【００２５】
ここでは、「移動モード」に設定された移動局１２が接続中の基地局１４−１から基地局１４−６および基地局１４−７の方向に移動する場合の動作を、図２に基づいて説明する。図２は、移動局１２の移動経路を示す図である。同図に示すように、移動局１２は、基地局１４−１と接続している地点Ａから、地点Ｂ、地点Ｃ、地点Ｄを経由して、基地局１４−６および基地局１４−７に近い地点Ｅに移動する。
【００２６】
地点Ｂに移動した移動局１２は、周辺の基地局１４から送信される報知信号に基づいて、周辺の基地局１４を検索する。報知信号には、その報知信号を送信した基地局１４のＢＳＩＤ（Base Station Identification：基地局識別情報）が含まれている。地点Ｂでは、基地局１４−１，１４−２，１４−３の報知信号が移動局１２により受信される。
【００２７】
次に、基地局１４−１のカバーエリアの端（セルエッジ）付近である地点Ｃに移動すると、移動局１２は、基地局１４−１のカバーエリアから出る前に、ハンドオーバ先の候補となる周辺の基地局１４を検索する。地点Ｃでは、基地局１４−１，１４−２，１４−３，１４−４の報知信号が移動局１２により受信される。
【００２８】
ここで、移動局１２は、地点Ｃ（今回基地局検索を行った地点）で検索された基地局１４のうち地点Ｂ（前回基地局検索を行った地点）で検索された基地局１４のいずれとも異なる基地局１４−４、すなわち地点Ｃで検索されかつ地点Ｂで検索されなかった基地局１４−４をハンドオーバ先として選択する。このように、移動局１２は、地点Ｃに近いが移動局１２の進行方向（図２の波線参照）に対して前方にない基地局１４−２および基地局１４−３のいずれでもなく、移動局１２の進行方向に対して前方にある基地局１４−４をハンドオーバ先として選択する。移動局１２が基地局１４−４にハンドオーバしてからそのカバーエリアを出るまでの時間は、移動局１２が基地局１４−２または基地局１４−３にハンドオーバしてからそのカバーエリアを出るまでの時間よりも長いからである。
【００２９】
基地局１４−４に接続した移動局１２は、次に基地局１４−４のカバーエリア内である地点Ｄで、周辺の基地局１４を検索する。地点Ｄでは、基地局１４−４，１４−５の報知信号が移動局１２により受信される。
【００３０】
さらに、基地局１４−４のカバーエリアの端付近である地点Ｅに移動すると、移動局１２は、基地局１４−４のカバーエリアから出る前に、ハンドオーバ先の候補となる周辺の基地局１４を検索する。地点Ｅでは、基地局１４−４，１４−６，１４−７の報知信号が移動局１２により受信される。
【００３１】
ここで、移動局１２は、地点Ｅ（今回基地局検索を行った地点）で検索されかつ地点Ｄ（前回基地局検索を行った地点）で検索されなかった基地局１４−６，１４−７をハンドオーバ先の候補として選択する。このようにハンドオーバ先の候補が２つ存在する場合、移動局１２は、移動局１２における受信レベルが所定値以上である報知信号のうちその受信レベルが最も低い報知信号を送信した基地局１４（ここでは基地局１４−６よりも地点Ｅから遠い基地局１４−７）をハンドオーバ先として選択する。移動局１２が基地局１４−７にハンドオーバしてからそのカバーエリアを出るまでの時間は、移動局１２が基地局１４−６にハンドオーバしてからそのカバーエリアを出るまでの時間よりも長いからである。
【００３２】
このように、「移動モード」に設定された移動局１２は、その進行方向に対して前方にある基地局１４をハンドオーバ先として選択する。また、ハンドオーバ先の候補（その進行方向に対して前方にある基地局１４）が複数存在する場合、移動局１２は、移動局１２から最も離れた基地局１４をハンドオーバ先として選択する。このため、移動局１２は、そのハンドオーバ頻度を低減することができる。
【００３３】
以下では、上記処理を実現するために移動局１２が備える構成について説明する。
【００３４】
図３は、移動局１２の機能ブロック図である。同図に示すように、移動局１２は、アンテナ２０、無線部２２、記憶部２４、制御部２６（ハンドオーバ時刻管理部２８、基地局検索部３０、ハンドオーバ先選択部３２）、タイマ部３４、およびモード切替スイッチ３６を含んで構成される。
【００３５】
アンテナ２０は、無線信号を受信し、受信された無線信号を無線部２２に出力する。また、アンテナ２０は、無線部２２から供給される無線信号を基地局１４に対して送信する。
【００３６】
無線部２２は、低雑音増幅器、電力増幅器、周波数変換器、帯域通過フィルタ、Ａ／Ｄ変換器、Ｄ／Ａ変換器、復調回路、および変調回路を含んで構成される。無線部２２は、アンテナ２０から入力される無線信号に、増幅、ダウンコンバート、Ａ／Ｄ変換、ディジタル復調などを施し、得られた受信データを制御部２６に出力する。また、無線部２２は、制御部２６から入力される送信データに、ディジタル変調、Ｄ／Ａ変換、アップコンバート、増幅などを施し、得られた無線信号をアンテナ２０に供給する。
【００３７】
記憶部２４は、たとえば半導体メモリ素子で構成され、制御部２６により使用される各種の制御プログラム、パラメータ、テーブルなどを記憶する。
【００３８】
制御部２６は、たとえばＣＰＵ（Central Processing Unit）およびＣＰＵの動作を制御するプログラムで構成され、移動局１２の各部を制御する。特に、制御部２６は、ハンドオーバ時刻管理部２８、基地局検索部３０、およびハンドオーバ先選択部３２を機能的に含み、設定されたハンドオーバ先の選択方法（「通常モード」または「移動モード」）に従って移動局１２のハンドオーバを制御する。
【００３９】
ハンドオーバ時刻管理部２８は、移動局１２がハンドオーバを行うタイミングでタイマ部３４から現在時刻を取得し、取得した時刻をハンドオーバ時刻として記憶部２４に記録する（図４参照）。
【００４０】
また、ハンドオーバ時刻管理部２８は、記憶部２４に記憶される少なくとも２つのハンドオーバ時刻に基づいて、ハンドオーバの実行間隔を取得する。なお、ハンドオーバ時刻管理部２８は、記憶部２４に記憶される直近２つのハンドオーバ時刻の差をハンドオーバの実行間隔として取得してもよいし、記憶部２４に記憶される直近複数のハンドオーバ時刻間の差の平均値をハンドオーバの実行間隔として取得してもよい。
【００４１】
基地局検索部３０は、移動局１２がハンドオーバを行うタイミング（第１のタイミング、以下「ハンドオーバタイミング」という）で、ハンドオーバ先の候補となる周辺の基地局１４を検索し、検索結果を記憶部２４に記録する。すなわち、基地局検索部３０はまず、ハンドオーバタイミングで、周辺の基地局１４から送信される報知信号を受信するとともに、タイマ部３４から現在時刻を取得する。そして、基地局検索部３０は、受信された報知信号に含まれるＢＳＩＤおよびその報知信号の受信レベル（基地局検索結果）と、タイマ部３４から取得した時刻（基地局検索時刻）と、を記憶部２４に記録する（図５参照）。
【００４２】
また「移動モード」では、基地局検索部３０は、移動局１２がハンドオーバを行うタイミングより早いタイミング（第２のタイミング、以下「予備サーチタイミング」という）でも、周辺の基地局１４を検索し、検索結果を記憶部２４に記録する。ここで、基地局検索部３０は、前回ハンドオーバを行ったタイミング（前回のハンドオーバタイミング）より後かつ次回ハンドオーバを行うタイミング（次回のハンドオーバタイミング）より前のタイミングを予備サーチタイミングとして基地局検索を行ってもよいし、前回ハンドオーバを行ったタイミング（前回のハンドオーバタイミング）を予備サーチタイミングとみなすことにより、ハンドオーバタイミング以外での基地局検索を省略してもよい。
【００４３】
なお、基地局検索部３０は、過去のハンドオーバ実績（たとえば、周辺の基地局１４の配置間隔に対する移動局１２の相対移動速度に応じて変化するハンドオーバの実行間隔）に基づいて、予備サーチタイミングを決定してもよい。
【００４４】
たとえば、基地局検索部３０は、ハンドオーバを行った後に、前回のハンドオーバ時刻と今回のハンドオーバ時刻との差をハンドオーバの実行間隔としてハンドオーバ時刻管理部２８から取得し、直近の基地局検索時刻にハンドオーバの実行間隔の１／２を加えたタイミングを予備サーチタイミングとしてもよい。
【００４５】
また、基地局検索部３０は、ハンドオーバ時刻管理部２８から取得したハンドオーバの実行間隔がＴ１（記憶部２４に記憶される初期パラメータの１つ）未満であるか否かを判定し、ハンドオーバの間隔がＴ１未満であれば、直近の基地局検索時刻からＴ２（記憶部２４に記憶される初期パラメータの１つであってＴ１より小さい値）後を予備サーチタイミングとし、ハンドオーバの実行間隔がＴ１以上であれば、直近の基地局検索時刻からＴ１後を予備サーチタイミングとしてもよい。
【００４６】
こうすれば、基地局検索部３０は、移動局１２と周辺の基地局１４との位置関係の変化に応じた好適なタイミングで、周辺の基地局１４を検索することができる。また、移動局１２と周辺の基地局１４との位置関係があまり変化していないときには基地局検索の実行が抑制されるため、移動局１２の消費電力を低減することもできる。
【００４７】
ハンドオーバ先選択部３２は、記憶部２４に記憶される基地局検索結果に基づいて、移動局１２のハンドオーバ先を決定する。以下、ハンドオーバ先選択部３２の処理を、「通常モード」と「移動モード」とに分けて説明する。
【００４８】
「通常モード」では、ハンドオーバ先選択部３２は、記憶部２４に記憶される今回（最新）の基地局検索結果のうち、報知信号の受信レベルが最大であるＢＳＩＤで識別される基地局１４をハンドオーバ先として選択する。通常、移動局１２に最も近い基地局１４がハンドオーバ先として選択される。
【００４９】
「移動モード」では、ハンドオーバ先選択部３２は、記憶部２４から今回の基地局検索結果（今回のハンドオーバタイミングで取得された基地局検索結果）と前回の基地局検索結果（予備サーチタイミングで取得された基地局検索結果）とを読み出す。そして、ハンドオーバ先選択部３２は、今回の基地局検索結果に含まれかつ前回の基地局検索結果に含まれないＢＳＩＤのうち、報知信号の受信レベルが所定値以上であるＢＳＩＤで識別される基地局１４をハンドオーバ先として選択する。ここで、ハンドオーバ先の候補が複数存在する場合、ハンドオーバ先選択部３２は、そのうち報知信号の受信レベルが最も低いＢＳＩＤで識別される基地局１４をハンドオーバ先として選択する。
【００５０】
なお、ハンドオーバ先選択部３２は、たとえば前回のハンドオーバ時刻と今回のハンドオーバ時刻との差をハンドオーバの実行間隔としてハンドオーバ時刻管理部２８から取得し、このハンドオーバの実行間隔が所定時間以上であるか否かに基づいて、ハンドオーバ先の選択方法を自動的に切り替えてもよい。すなわち、ハンドオーバ先選択部３２は、ハンドオーバの実行間隔が所定時間未満である場合に、ハンドオーバ先の選択方法を「移動モード」にし、ハンドオーバの実行間隔が所定時間以上である場合に、ハンドオーバ先の選択方法を「通常モード」にしてもよい。こうすれば、周辺の基地局１４の配置間隔に対する移動局１２の相対移動速度が高い場合には、移動局１２の進行方向に対して前方にある基地局１４がハンドオーバ先として選択され、移動局１２の相対移動速度が低い場合には、移動局１２に近い基地局１４がハンドオーバ先として選択されるようになる。
【００５１】
モード切替スイッチ３６は、ハンドオーバ先の選択方法（「通常モード」または「移動モード」）を移動局１２のユーザが手動で切り替えるためのハードウェアスイッチまたはソフトウェアスイッチである。
【００５２】
ここで、移動局１２の動作について説明する。
【００５３】
図６は、「通常モード」に設定された移動局１２の動作の一例を示すフロー図である。同図に示すように、「通常モード」に従って選択されたハンドオーバ先へのハンドオーバを実行すると（Ｓ１００：Ｙ）、移動局１２は、ハンドオーバ時刻を記憶部２４に記録する（Ｓ１０２）。さらに、移動局１２は、ハンドオーバタイミングで実行された基地局検索の結果（受信された報知信号に含まれるＢＳＩＤと受信された報知信号の受信レベル）とその時刻（基地局検索時刻）とを記憶部２４に記録する（Ｓ１０４）。
【００５４】
次に、移動局１２は、記憶部２４に前回のハンドオーバに係る記録があるか否かを判定する（Ｓ１０６）。ここで、前回のハンドオーバに係る記録があれば（Ｓ１０６：Ｙ）、すなわち記憶部２４に少なくとも２つのハンドオーバ時刻が記憶されていれば、移動局１２は、前回のハンドオーバ時刻と今回のハンドオーバ時刻との差をハンドオーバの実行間隔として取得する（Ｓ１０８）。そして、取得したハンドオーバの実行間隔が所定時間未満であれば（Ｓ１１０：Ｙ）、移動局１２は、ハンドオーバ先の選択方法を「移動モード」に変更する（Ｓ１１２）。一方、取得したハンドオーバの実行間隔が所定時間以上であれば（Ｓ１１０：Ｎ）、移動局１２は、ハンドオーバが実行されるまでＳ１００の判定処理を実行する。
【００５５】
図７は、「移動モード」に設定された移動局１２の動作の一例を示すフロー図である。同図に示すように、「移動モード」に従って選択されたハンドオーバ先へのハンドオーバを実行すると（Ｓ１２０：Ｙ）、移動局１２は、ハンドオーバ時刻を記憶部２４に記録する（Ｓ１２２）。さらに、移動局１２は、ハンドオーバタイミングで実行された基地局検索の結果と基地局検索時刻とを記憶部２４に記録する（Ｓ１２４）。
【００５６】
次に、移動局１２は、記憶部２４に前回のハンドオーバに係る記録があるか否かを判定する（Ｓ１２６）。ここで、前回のハンドオーバに係る記録があれば（Ｓ１２６：Ｙ）、すなわち記憶部２４に少なくとも２つのハンドオーバ時刻が記憶されていれば、移動局１２は、前回のハンドオーバ時刻と今回のハンドオーバ時刻との差をハンドオーバの実行間隔として取得する（Ｓ１２８）。そして、取得したハンドオーバの実行間隔が所定時間以上であれば（Ｓ１３０：Ｙ）、移動局１２は、ハンドオーバ先の選択方法を「通常モード」に変更する（Ｓ１３２）。一方、取得したハンドオーバの実行間隔が所定時間未満であれば（Ｓ１３０：Ｎ）、移動局１２は、Ｓ１２８で取得したハンドオーバの実行間隔に基づいて予備サーチタイミングを決定し（Ｓ１３４）、ハンドオーバが実行されたか否かを監視する処理（Ｓ１２０）を行う。
【００５７】
なお、Ｓ１２０においてハンドオーバが実行されていない場合（Ｓ１２０：Ｎ）、移動局１２は、Ｓ１３４で決定された予備サーチタイミングが到来したか否かを判定する（Ｓ１３６）。ここで、予備サーチタイミングが到来していれば（Ｓ１３６：Ｙ）、移動局１２は、周辺の基地局１４を検索し（Ｓ１３８）、予備サーチタイミングで実行された基地局検索の結果と基地局検索時刻とを記憶部２４に記録する（Ｓ１２４）。一方、予備サーチタイミングが到来していなければ（Ｓ１３６：Ｎ）、移動局１２は、ハンドオーバが実行されたか否かを監視する処理（Ｓ１２０）を行う。
【００５８】
以上説明した実施形態によれば、移動局１２の進行方向に対して前方にある基地局１４がハンドオーバ先として選択されやすくなるため、移動局１２のハンドオーバ頻度を低減することができる。
【００５９】
なお、本発明は、上記実施形態に限定されるものではなく、種々の変形実施が可能である。
【００６０】
たとえば、上記実施形態では、周辺の基地局１２の配置間隔に対する移動局１２の相対移動速度を間接的に示すハンドオーバの実行間隔に基づいて、予備サーチタイミングの決定やハンドオーバ先選択方法の切り換えを行う例を示したが、移動局１２は、周辺の基地局１２の配置間隔に対する移動局１２の相対移動速度を直接推定する相対速度推定手段を備えてもよく、推定された移動局１２の相対移動速度に基づいて、予備サーチタイミングの決定やハンドオーバ先選択方法の切り換えを行ってもよい。なお、相対速度推定手段の一例として、上位装置から配信される周辺の基地局１４の位置情報と、ＧＰＳ機能などを用いて取得される移動局１２の位置情報と、に基づいて、周辺の基地局１４の配置間隔に対する移動局１２の相対移動速度を推定する手段がある。
【図面の簡単な説明】
【００６１】
【図１】本発明の実施形態に係る移動通信システムの構成図である。
【図２】本発明の実施形態に係る移動局の移動経路を示す図である。
【図３】本発明の実施形態に係る移動局の機能ブロック図である。
【図４】記憶部に記憶されるハンドオーバ時刻の一例を示す図である。
【図５】記憶部に記憶される基地局検索結果の一例を示す図である。
【図６】「通常モード」に設定された移動局の動作の一例を示すフロー図である。
【図７】「移動モード」に設定された移動局の動作の一例を示すフロー図である。
【符号の説明】
【００６２】
１０  移動通信システム、１２  移動局、１４  基地局、２０  アンテナ、２２  無線部、２４  記憶部、２６  制御部、２８  ハンドオーバ時刻管理部、  ３０  基地局検索部、３２  ハンドオーバ先選択部、３４  タイマ部、３６  モード切替スイッチ。
【図１】
2010124021.tif 000003
【図２】
2010124021.tif 000004
【図３】
2010124021.tif 000005
【図４】
2010124021.tif 000006
【図５】
2010124021.tif 000007
【図６】
2010124021.tif 000008
【図７】
2010124021.tif 000009